(57)【特許請求の範囲】
【請求項１】
体温計本体に突設され、体温測定時にプローブカバーが装着されるプローブを備える放射体温計において、
前記プローブカバーの縁部をプローブの基部に押圧・固定する固定状態と、前記固定状態を解除する状態とが切替可能となるように体温計本体に揺動自在に取付けられた固定部材を備えることを特徴とする放射体温計。
【請求項２】
体温計本体に突設され、体温測定時にプローブカバーが装着されるプローブを備える放射体温計において、
前記プローブカバーの縁部を挟持する挟持部材をプローブの基部に突設したことを特徴とする放射体温計。
【請求項３】
体温計本体に突設され、体温測定時にプローブカバーが装着されるプローブを備える放射体温計において、
前記プローブカバーは、プローブを含む体温計本体全体を覆う赤外線透過性の袋であり、体温測定時は前記袋の中に前記体温計本体全体を収容することを特徴とする放射体温計。
【請求項４】
体温計本体に突設され、体温測定時にプローブカバーが装着されるプローブを備える放射体温計において、
前記プローブカバーは、その縁部に開口の大きさを調節する調節部材を有する赤外線透過性の袋であることを特徴とする放射体温計。
【請求項５】
体温計本体に突設され、体温測定時にプローブカバーが装着されるプローブを備える放射体温計において、
前記体温計本体に吸引手段を設け、この吸引手段とプローブ内部とを連通し、吸引手段による吸引力によりプローブカバーをプローブに吸い付けるようにしたことを特徴とする放射体温計。
【発明の詳細な説明】
【０００１】
【発明の属する技術分野】
本発明は、生体から発せられる赤外線を検知して体温を測定する放射体温計に関し、特にプローブを外耳道や口腔等に挿入して体温を測定する放射体温計に関する。
【０００２】
【従来の技術】
この種の放射体温計は、電源スイッチ等の操作部や体温測定値等を表示する表示部を有する体温計本体に、赤外線センサ等が内蔵されたプローブが突設されたものである。このような放射体温計では、一般に衛生面を考慮して体温測定時にプローブにプローブカバーを装着するようになっている。プローブカバーとしては、赤外線透過性のフィルムや、プローブと略同形状で適度の可撓性を持つ樹脂成形品が使用される。
【０００３】
プローブに対するプローブカバーの取付形態には、図１２〜図１４に示すようなものがある。図１２に示す取付形態においては、体温計本体（図示せず）に突設されたプローブ７０の基部７１より幾分先端側に周回状の凸部７２が設けられ、この凸部７２に対応する形状の凹部８１がプローブカバー８０に形成されている。ここでは、プローブカバー８０は成形品であって可撓性を有するから、プローブカバー８０をプローブ７０に被せて押し込めば、凸部７２が凹部８１に嵌合し、プローブカバー８０がプローブ７０に固定される。
【０００４】
図１３に示す取付形態では、プローブカバー９０が赤外線透過性のフィルムであり、別途用意された適度の可撓性を持つリング状部材９３をプローブカバー９０と共にプローブ基部７１に向かって押し込むことで、リング状部材９３がプローブ基部７１と凸部７２との間に嵌合し、それによりプローブカバー９０がプローブ７０に固定される。
【０００５】
図１４に示す取付形態では、赤外線透過性のフィルムであるプローブカバー９０の縁部にリング状のロワ部材９５が取付けられ、更にロワ部材９５の外側にプローブカバー９０を挟み込んでアッパー部材９６が取付けられている。ロワ部材９５とアッパー部材９６は適度の可撓性を有するものであり、両部材９５，９６をプローブ基部７１側に押し込むことで、ロワ部材９５が凸部７２に嵌合し、プローブカバー９０がプローブ７０に固定される。
【０００６】
【発明が解決しようとする課題】
しかしながら、図１２の取付形態では、プローブカバー８０が成形品であり、樹脂成形後の成形品にアンダーカットを行わなければならないため、高価で特殊な金型が必要となる。
図１３の取付形態では、プローブカバー９０の他に、別部品としてリング状部材９３を用意する必要があり、不使用時にリング状部材９３を無くしてしまう可能性が高い。しかも、フィルムであるプローブカバー９０の縁部をリング状部材９３で確実に挟持するのが難しく、プローブカバー９０の位置がずれ易く、プローブカバー９０の取付作業が面倒である。
【０００７】
図１４の取付形態では、プローブカバー９０の他に、ロワ部材９５とアッパー部材９６を必要とするため、部品点数が多くなるばかりか、プローブカバー９０とロワ部材９５及びアッパー部材９６とを一体に組み立てるのに工数が掛かり、コストも高くなる。その上、組立ばらつきによる性能のばらつきも生じ易い。
本発明は、そのような問題点に着目してなされたものであり、プローブに対するプローブカバーの着脱が容易であり、プローブカバーの組立工数やコストを削減し、組立による性能の不安定性もない放射体温計を提供することを目的とする。
【０００８】
【課題を解決するための手段】
前記目的を達成するために、本発明の請求項１記載の放射体温計は、体温計本体に突設され、体温測定時にプローブカバーが装着されるプローブを備えるものにおいて、前記プローブカバーの縁部をプローブの基部に押圧・固定する固定状態と、前記固定状態を解除する状態とが切替可能となるように体温計本体に揺動自在に取付けられた固定部材を備えることを特徴とする。
【０００９】
この放射体温計では、プローブカバーを固定する固定部材が体温計本体に設けられているので、プローブカバーの着脱が容易であり、固定部材を紛失することもない。
請求項２記載の放射体温計は、体温計本体に突設され、体温測定時にプローブカバーが装着されるプローブを備えるものにおいて、前記プローブカバーの縁部を挟持する挟持部材をプローブの基部に突設したことを特徴とする。
【００１０】
この放射体温計では、プローブの基部、即ち体温計本体に突設された挟持部材によりプローブカバーを挟持するので、プローブカバーの着脱が容易となる。又、挟持部材はプローブを含む放射体温計の成型時に一体に形成すればよいので、組立工数やコストを削減できる。
請求項３記載の放射体温計は、体温計本体に突設され、体温測定時にプローブカバーが装着されるプローブを備えるものにおいて、前記プローブカバーがプローブを含む体温計本体全体を覆う赤外線透過性の袋であり、体温測定時は前記袋の中に前記体温計本体全体を収容することを特徴とする。
【００１１】
この放射体温計では、体温計本体全体を赤外線透過性の袋の中に収容することで体温計本体が備えるプローブをプローブカバーが覆うことになるため、体温計本体に固定部材等の別部品は全く必要としないので、プローブカバーの着脱が容易である上に、コストをかなり削減できる。
請求項４記載の放射体温計は、体温計本体に突設され、体温測定時にプローブカバーが装着されるプローブを備えるものにおいて、前記プローブカバーがその縁部に開口の大きさを調節する調節部材を有する赤外線透過性の袋であることを特徴とする。
【００１２】
この放射体温計では、巾着のように袋としてのプローブカバーの開口を絞ることができるので、プローブカバーの着脱が容易であり、コストも低く抑えることができる。
【００１３】
請求項５記載の放射体温計は、体温計本体に突設され、体温測定時にプローブカバーが装着されるプローブを備えるものにおいて、前記体温計本体に吸引手段を設け、この吸引手段とプローブ内部とを連通し、吸引手段による吸引力によりプローブカバーをプローブに吸い付けるようにしたことを特徴とする。
【００１４】
この放射体温計では、吸引手段によりプローブカバーを吸引するので、プローブカバーの着脱が容易である。
【００１５】
【発明の実施の形態】
以下、本発明を実施の形態に基づいて説明する。但し、本発明の放射体温計はプローブに対するプローブカバーの取付形態に特徴があり、それ以外の構造は従来のものと同様であるので、取付形態を中心に説明する。
請求項１の一実施形態に係る放射体温計のプローブ部分の側面図を図１に、その正面図を図２に示す。この放射体温計は、体温計本体１に突設されると共に、体温測定時にプローブカバー５０が装着されるプローブ２を備えるもので、体温計本体１は電源スイッチ等の操作部や体温測定値等を表示する表示部を有し、プローブ２は赤外線センサ等を内蔵する。体温計本体１には、プローブカバー５０の縁部をプローブ基部３に押圧・固定する押圧板（固定部材）１０が揺動可能に取付けられている。なお、図１には、プローブカバー５０として赤外線透過性のフィルムが示されているが、プローブ２と略同形状で適度の可撓性を持つ樹脂成形品でもよい。
【００１６】
押圧板１０は、プローブ２を挿通することができる大きさのＵ字状の切欠き１０ａを有し、体温計本体１の頭部側面に設けられた支柱１１に軸１２により揺動自在に支持されている。図１及び図２には示されていないが、押圧板１０と支柱１１との連結部分には付勢部材（例えばバネ）が設けられ、付勢部材により押圧板１０は固定状態（図１の実線状態）に常時付勢される。
【００１７】
この放射体温計において、プローブカバー５０をプローブ２に装着するには、押圧板１０を付勢部材の付勢力に抗して引き起こし、予め用意したフィルムとしてのプローブカバー５０をプローブ２にあてがい、押圧板１０を固定状態にする。これにより、押圧板１０でプローブカバー５０の縁部がプローブ基部３に押圧・固定され、プローブカバー５０がプローブ２に装着される。プローブカバー５０をプローブ２から外すときは、押圧板１０を引き起こせばよい。勿論、プローブカバー５０が成形品である場合の着脱も、押圧板１０を利用して同様に行えばよい。
【００１８】
別実施形態に係る放射体温計のプローブ部分の平面図（上面図）を図３に、その側面図を図４に示す。この放射体温計では、体温計本体１の両側面に、それぞれプローブカバー６０の縁部を固定する爪片（固定部材）１５が揺動可能に取付けられている。爪片１５は、体温計本体１の側面に設けられた一対の支持片１６に揺動可能に支持されている。図３及び図４には示されていないが、爪片１５と支持片１６との連結部分には付勢部材（例えばバネ）が設けられ、付勢部材により爪片１５は固定状態（図３の実線状態）に常時付勢される。
【００１９】
プローブカバー６０は成形品であり、その縁部（開口部）にフランジ６１を有する。この場合も、プローブカバー６０は、赤外線透過性のフィルムの縁部に別部品のフランジを取付けたものであってもよい。又、爪片１５は２個設けられているが、個数に限定はなく、例えば体温計本体１の頭部側面や前面にも設け、３個や４個にしてもよい。
【００２０】
この放射体温計において、プローブカバー６０をプローブ２に装着するには、爪片１５を付勢部材の付勢力に抗して引き起こし、プローブカバー６０をプローブ２に被せてから、爪片１５を固定状態にする。これにより、爪片１５でプローブカバー６０のフランジ６１がプローブ基部３に押圧・固定され、プローブカバー６０がプローブ２に装着される。爪片１５を引き起こせば、プローブカバー６０をプローブ２から簡単に取り外せる。プローブカバー６０がフィルムである場合も、全く同様に着脱を行えばよい。
【００２１】
請求項２の実施形態に係る放射体温計におけるプローブ取付形態を図５（分解側面図）及び図６（断面図）に示す。ここでは、成形品としてのプローブカバー６０の縁部６０ａを挟持する挟持片（挟持部材）２０がプローブ基部３に突設されている。挟持片２０は、プローブ２からプローブカバー６０の縁部６０ａの肉厚より幾分小さい間隔だけ離れて位置し、プローブ２の周囲の同心円上に等角度（９０°）間隔で４つ配置されている。勿論、挟持片２０の個数は、プローブカバー６０を安定して挟持できるのであれば限定されない。例えば、３つの挟持片２０を等角度（１２０°）間隔で配置してもよい。又、挟持片２０の形状も特定されず、円弧状のもの、棒状のものなど、様々な形状のものが考えられる。
【００２２】
この取付形態では、プローブカバー６０をプローブ基部３に向かって押し込めば、プローブカバー６０の縁部６０ａが挟持片２０とプローブ２との隙間に嵌まり込み、プローブカバー６０がプローブ２に装着される。プローブカバー６０を引き抜けば、プローブ２から容易に取り外すことができる。
請求項３の実施形態に係る放射体温計のプローブ取付形態を図７（側面図）に示す。ここでは、プローブカバー５５はプローブ２を含む体温計本体１全体を覆う赤外線透過性の袋であり、袋としてのプローブカバー５５の中に体温計本体１を収容することで、プローブ２のみにプローブカバーを被せるのと同じ作用を得る。この場合、プローブ２のみにプローブカバーを装着するのに比べて、プローブカバー５５の中に体温計本体１を入れるだけでよいので、プローブカバー５５の着脱が極めて容易であり、特別な部品を別途用意したり、体温計本体１に設けたりする必要が全くなく、プローブカバー（袋）５５を用意するだけで済み、非常に安価である。
【００２３】
請求項４の実施形態に係る放射体温計のプローブ部分を図８（側面図）に示す。このプローブ取付形態では、プローブカバー５０は、その縁部に開口の大きさを調節する調節部材５１を有する赤外線透過性の袋である。即ち、プローブカバー５０は巾着のように開口を絞ることができる。従って、調節部材５１としては、開口を絞ることができるのであれば特定されず、ゴム、紐、ベルト等を使用すればよい。
【００２４】
この取付形態では、プローブカバー５０をプローブ２に被せてから調節部材５１により開口を絞ればよく、取り外しも容易である。この場合、プローブカバー５０を安価に提供できる。
【００２５】
請求項５の実施形態に係る放射体温計のプローブ部分を図９（断面図）に示す。この放射体温計の体温計本体１には、吸引手段として吸気・給気を行うためのポンプ６が配置され、ポンプ６とプローブ２内部とが連通されている。ポンプ６は電動でも手動でもよく、ポンプ６によりプローブ２内部の吸気・給気を行う。
【００２６】
なお、プローブ２内部には赤外線センサ５が配置されており、また成形品のプローブカバー６０の他に、フィルムのプローブカバーを使用してもよい。
【００２７】
このプローブ取付形態によると、プローブカバー６０をプローブ２に被せ、ポンプ６を作動させれば、プローブ２内部が吸気される。プローブ２の先端開口はプローブカバー６０で気密に覆われているので、プローブ２内部が吸気されれば、プローブカバー６０がプローブ２に吸引されて固定される。ポンプ６によりプローブ２内部に給気すれば、プローブ２内部の空気圧が増し、プローブカバー６０がプローブ２から外れる。
【００２８】
更に別実施形態に係るプローブ取付形態を図１０及び図１１に示す。この取付形態は、前記請求項２に係るもので、図５及び図６に示す挟持片２０と異なり、挟持部材として図１０に示すような可撓性の挟持リング４０が使用される。挟持リング４０は、中心にプローブ２を挿通する穴４１と、周囲に４つの突片４２とを有する。又、突片４２以外の部分には、肉厚の半分程度まで達する多数の切れ目４３が形成されている。この挟持リング４０はプローブ基部３に例えば嵌合により固定される。なお、挟持リング４０の突片４２の形状や個数が図示のものに限定されないのは勿論である。
【００２９】
この取付形態では、更に例えば環状の取付具４５を使用する。取付具４５は弾性体であり、中心にプローブ２の挿通穴４６と、外周に凸部４７とを有する。プローブカバーの取付けは、図１１の（ａ）に示すように、赤外線透過性のフィルムとしてのプローブカバー５０を取付具４５の凸部４７側に載せた状態で、プローブ２を取付具４５の挿通穴４６に挿入する。挟持リング４０が取付具４５に当たるまで或る程度の強さでプローブ２を取付具４５に押付けると、図１１の（ｂ）に示すように、取付具４５の凸部４７によって挟持リング４０の突片４２が押されて、挟持リング４０が変形する。すると、切れ目４３が開き、この開いた切れ目４３にプローブカバー５０の縁部が嵌入する。ここで、プローブ２を取付具４５から離すと、切れ目４３が閉じ、切れ目４３にプローブカバー５０の縁部が挟み込まれ、プローブカバー５０がプローブ２に装着される。プローブカバー５０を外すときは、前記と同様にして切れ目４３を開き、その状態でプローブカバー５０の縁部を切れ目４３から抜けばよい。
【００３０】
但し、上記取付形態では、取付具４５を使用したが、手で挟持リング４０の突片４２を押して、切れ目４３を開いてもよい。
【００３１】
【発明の効果】
以上説明したように、請求項１記載の放射体温計によれば、プローブカバーを固定する固定部材が体温計本体に設けられているので、プローブカバーの着脱が容易であり、固定部材を紛失することもない。
請求項２記載の放射体温計によれば、プローブの基部、即ち体温計本体に突設された挟持部材によりプローブカバーを挟持するので、プローブカバーの着脱が容易となる。又、挟持部材はプローブを含む放射体温計の成型時に一体に形成すればよいので、組立工数やコストを削減できる。
【００３２】
請求項３記載の放射体温計によれば、体温計本体全体を赤外線透過性の袋の中に収容することで体温計本体が備えるプローブをプローブカバーが覆うことになるため、体温計本体に固定部材等の別部品は全く必要としないので、プローブカバーの着脱が容易である上に、コストをかなり削減できる。
請求項４記載の放射体温計によれば、巾着のように袋としてのプローブカバーの開口を絞ることができるので、プローブカバーの着脱が容易であり、コストも低く抑えることができる。
【００３３】
請求項５記載の放射体温計によれば、吸引手段によりプローブカバーを吸引するので、プローブカバーの着脱が容易である。
【図面の簡単な説明】
【図１】請求項１の一実施形態に係る放射体温計のプローブ部分の側面図である。
【図２】図１のプローブ部分の正面図である。
【図３】請求項１の別実施形態に係る放射体温計のプローブ部分の平面図（上面図）である。
【図４】図３のプローブ部分の側面図である。
【図５】請求項２の実施形態に係る放射体温計におけるプローブ取付形態を示す分解側面図である。
【図６】図５のプローブ取付形態の断面図である。
【図７】請求項３の実施形態に係る放射体温計におけるプローブ取付形態を示す側面図である。
【図８】請求項４の実施形態に係る放射体温計のプローブ部分の側面図である。
【図９】請求項６の実施形態に係る放射体温計のプローブ部分の断面図である。
【図１０】請求項２の別実施形態に係る放射体温計におけるプローブ取付形態に使用する挟持リングの斜視図である。
【図１１】図１２の挟持リングを取付けた放射体温計のプローブにプローブカバーを装着するときの状態を示す図である。
【図１２】従来例に係る放射体温計におけるプローブ取付形態を示す断面図である。
【図１３】別の従来例に係る放射体温計におけるプローブ取付形態を示す断面図である。
【図１４】更に別の従来例に係る放射体温計におけるプローブ取付形態を示す断面図である。
【符号の説明】
１            体温計本体
２            プローブ
３            プローブ基部
６            ポンプ（吸引手段）
１０          押圧板（固定部材）
１５          爪片（固定部材）
２０          挟持片（挟持部材）
４０          挟持リング（挟持部材）
５０          プローブカバー（フィルム）
５１          調節部材
５５          プローブカバー（袋）
６０          プローブカバー（成形品）
６１          フランジ
【図１】
0003598833.tif 000002
【図２】
0003598833.tif 000003
【図３】
0003598833.tif 000004
【図４】
0003598833.tif 000005
【図５】
0003598833.tif 000006
【図６】
0003598833.tif 000007
【図７】
0003598833.tif 000008
【図８】
0003598833.tif 000009
【図９】
0003598833.tif 000010
【図１０】
0003598833.tif 000011
【図１１】
0003598833.tif 000012
【図１２】
0003598833.tif 000013
【図１３】
0003598833.tif 000014
【図１４】
0003598833.tif 000015